(57)【特許請求の範囲】
【請求項１】
樹木の伐採廃材を破砕して得られるチップ材に好気性醗酵微生物を加えた状態で地面上に断面形状が台形をなす堤防形状に堆積させ、かつ全体を防水シートを被せた堆積体となし、その堆積体に空気を導入してチップ材を醗酵させるとともに、この醗酵熱により加温された空気を前記堆積体中において下部から上部に向かって流動し上部から防水シートに沿って周辺部位を下部に向かって循環流動するように対流させ前記醗酵を促進する種菌生育コンポストの製造方法であって、多数の空気孔を壁面に透設し、空気を流通可能とした複数のパイプを前記堆積体の下部に間隔を設けて並設し、その端部を堆積体から露出した状態で埋設し、このパイプを通じて堆積体の下部に空気を動力を使用することなく導入するとともに、そのパイプの端部を開閉操作して、空気の導入量を調節して前記加温空気の対流状態を制御して醗酵温度の片寄りを調節することを特徴とする種菌生育コンポストの製造方法。
【請求項２】
樹木の伐採廃材を破砕して得られるチップ材と、請求項１に記載の種菌生育コンポストとを堆積して、前記チップ材を醗酵させることを特徴とする有機肥料の製造方法。
【発明の詳細な説明】
【０００１】
【発明の属する技術分野】
本発明は、有機肥料の製造方法の改良に関するものであって、特に、樹木の伐採廃材を原料とする有機質醗酵肥料の製造方法に関する。
【０００２】
【従来の技術】
近年、有機農業が見直されてきて、それに有用な有機質肥料の需要が増大している。この有機質肥料として、樹木の落葉あるいは刈り草などを主体とした植物堆肥が極めて好ましい肥料であるが、生産量の点から供給が必ずしも十分とは言えない状態であった。
【０００３】
一方、山林や植生林の育成、保護の管理上、定期的に発生する間伐材や剪定枝あるいは伐採された根茎などは何らかの方法で処分する必要があったが、１例として焼却処分方法が試みられたが、燃焼ガスの環境汚損問題もあって現在では採用されない状況にあり、またそれらは前記の落葉などと同時に堆肥にしようと試みても、生木によるセルローズ障害、または間伐材によるリグニン障害などを生じる問題があって堆肥化が容易ではなかった。
【０００４】
【発明が解決しようとする課題】
本発明は、上記の問題点を解決するためになされたものであり、間伐材や剪定枝あるいは伐採された根茎（以下、本発明ではこれらを樹木の伐採廃材と称する）を対象にして、低コストかつエネルギーコストが最小であって、高品質の醗酵肥料化を可能とする種菌生育コンポストの製造方法およびその種菌生育コンポストを用いた有機肥料の製造方法を提供する。
【０００５】
【課題を解決するための手段】
上記の問題は、樹木の伐採廃材を破砕して得られるチップ材に好気性醗酵微生物を加えた状態で地面上に断面形状が台形をなす堤防形状に堆積させ、かつ全体を防水シートを被せた堆積体となし、その堆積体に空気を導入してチップ材を醗酵させるとともに、この醗酵熱により加温された空気を前記堆積体中において下部から上部に向かって流動し上部から防水シートに沿って周辺部位を下部に向かって循環流動するように対流させ前記醗酵を促進する種菌生育コンポストの製造方法であって、多数の空気孔を壁面に透設し、空気を流通可能とした複数のパイプを前記堆積体の下部に間隔を設けて並設し、その端部を堆積体から露出した状態で埋設し、このパイプを通じて堆積体の下部に空気を動力を使用することなく導入するとともに、そのパイプの端部を開閉操作して、空気の導入量を調節して前記加温空気の対流状態を制御して醗酵温度の片寄りを調節することを特徴とする本発明の種菌生育コンポストの製造方法によって、解決することができる。
【０００６】
【０００７】
さらに、上記の問題は、樹木の伐採廃材を破砕して得られるチップ材と前段落に記載の種菌生育コンポストの製造方法によって得られた種菌生育コンポストとを堆積して、前記チップ材を醗酵させることを特徴とする本発明の有機肥料の製造方法によっても、解決することができる。
【０００８】
【発明の実施の形態】
次に、本発明の種菌生育コンポストの製造方法およびその種菌生育コンポストを用いた有機肥料の製造方法に係る実施形態について説明する。
まず、本発明の種菌生育コンポストの製造方法を図１、２を参照しながら説明すると、本発明では、樹木の間伐材や剪定枝あるいは伐採された根茎など樹木の伐採廃材を対象にするのであるが、これらを破砕粉砕機、例えば、動力ローダーを用いて２インチメッシュ以下のチップ材に、好ましくは１インチメッシュ以下のチップ材に破砕する。このチップ材は、９０％以上が直径６ｍｍ以下、長さ６０ｍｍ以下の木繊維の集合物からなるものである。
【０００９】
次いで、かくして得たチップ材１００体積部に対して、好気性微生物を含む種菌材、例えばＮＢＥビオグリーン（商品名）を１体積部、家畜糞など好気性微生物の栄養分、例えば鶏糞を１０体積部を混合するか、またはサンドイッチ状に積層した状態で地面上に堆積させ、図１に例示するような堆積体１を形成する。
この場合、種菌として用いられるのは、一般細菌種であるアゾトバクター、プセドモナス、バチルス、ミクロコッカス、糸状菌種であるペニシリウム、アスペルギルス、コチリオボラス、放線菌種として、ストレプトマイセス、アクチノミセス、アクチノプラネスなどが適宜に利用可能である。
なお、この堆積体１のサイズは、例示すると、下辺幅５ｍ、上辺幅２ｍ、高さ３ｍの断面形状が台形をなす堤防形状の堆積体であり、全体の長さは例えば約２００ｍ程度にすればよい。
【００１０】
このように形成した状態で、チップ材を醗酵させるのであるが、本発明の重要な特徴は、その堆積体１に空気を導入して好気性微生物を活性化して前記チップ材を醗酵させ、かつその際発生する醗酵熱によって加温された前記空気をその堆積体中において対流させ前記醗酵を促進する点にある。
【００１１】
そして、この醗酵と対流を効果的に行わせるため、本発明は、多数の空気孔を壁面に透設し、空気が流通可能な複数本のパイプ２を前記堆積体１の下部に間隔を並設し、その端部２１を堆積体から露出した状態で埋設し、このパイプの端部２１から導き入れられた空気を前記空気孔を通じて堆積体１の下部に導入、供給する形態を採用するのがもっとも好ましい。このパイプ１としては、直径３００ｍｍ程度の塩化ビニル管とし、その円筒壁には１００〜１５０ｍｍピッチに無数の６ｍｍφ程度の貫通空気孔を透設したものが適当である。そして、このパイプ２を図１、図２に示すように、２．５ｍ〜５ｍ間隔に、堆積体の下部を横断させて複数本、埋設して、その両端２１は堆積体１から外に突出、露出させて、外気を導入可能に配置する。
【００１２】
本発明では、このようなパイプ２により特別に動力を使用することなく外部の空気を導入して、その堆積体１の下部から供給できるから、好気性微生物を好ましく活性化させ、前記チップ材を醗酵させることができる。そして、その際発生する醗酵熱によって前記堆積体１に供給された空気は加温されることになり、さらにその加温空気は、その堆積体中において、下部から上部に向かって流動し、次いで上部から周辺部位を下部に向かって循環流動するという対流を生じて、前記醗酵をさらに促進するものである。
【００１３】
さらに、本発明ではこの場合、前記パイプ２の端部２１を適宜な手段で開閉操作して、空気の導入量を調節すれば、前記加温空気の対流状態を制御することができ、堆積体１中の醗酵温度の片寄りを調節して、醗酵状態を均質にすることができるので、揃った品質の種菌生育コンポストが得られるという利点がある。
【００１４】
かくして、種菌の生育期間として約１か月、醗酵を継続させる。この場合、堆積体１の中心部高温ゾーンの温度を７５℃以上に少なくとも１５日、好ましくは２０日持続させる必要がある。
さらに、この場合、前記堆積体１には、防水シートを全体に被せて、雨水の透水や、醗酵熱の放散を防止するのが重要である。なお、この堆積体１は、乾燥し過ぎるのは好ましくないので、平均含水率を４０％を下回らないように保持しておくのがよい。
【００１５】
以上説明した本発明の製造方法によって、セルローズ障害やリグニン障害を生じる成分をも分解して、Ｎ、Ｐ、Ｋの各肥料成分を適度に含有し、窒素分を９９％有機態窒素として含有するを種菌生育コンポストを得ることができる。かくして得られたこの種菌生育コンポストは、高品質の有機質醗酵肥料として利用できることは言うまでもない。
【００１６】
次に、本発明の有機肥料の製造方法について説明すると、前記したこの種菌生育コンポストを用いて、さらに新たに樹木の伐採廃材を破砕したチップ材を、コンポスト化することができるのである。
すなわち、新たなチップ材に前記により得られた種菌生育コンポスト中の種菌が作用するように加えて、全体を堆積して、全体を防水シートで保護しながら前記チップ材を醗酵させる方法である。具体的に説明すると、本発明の有機肥料の製造方法は、新たに準備したチップ材２７００ｍ3に対して、前記方法で製造した種菌生育コンポストを３００ｍ3の比率で、さらに好ましくは栄養分としての鶏糞を１２０ｍ3の比率で、混合するか、またはサンドイッチ式に積層して堤防状に堆積させ、防水シートで被い、この種菌生育コンポスト中の種菌によってチップ材を醗酵させるようにしたところの有機肥料の製造方法である。
【００１７】
この場合、堆積状態で放置した醗酵期間は約６か月であり、７０℃以上の高温醗酵を約３か月持続することが必要であるが、この実施形態ではさらに、５０℃以上の醗酵温度を約２か月追加して持続した。また、醗酵途中における、堆積体の切り返しなどの再混合操作は、種菌、醗酵温度、生成窒素分、あるいは含有水分などの均一化のために好ましいが、必ずしも必須ではない。また、この有機肥料の製造方法において、前記した醗酵を促進するための空気導入用のパイプ２を適用してもよいのである。
【００１８】
以上説明した有機肥料の製造方法によれば、醗酵過程において、特別に動力などのエネルギを消費する必要もなく、また格別の人力操作などの工数をかける必要がない上、アンモニアなど悪臭の発生など環境問題も殆どなく、また直径６ｍｍまでのチップ材は、ほとんどコンポスト化させることができた。かくして、平均含有水分が４０〜４５％で、Ｎ分：１、Ｐ分：０．５、Ｋ分：０．８の比率でほぼ含む均質な醗酵有機肥料を低コストに製造することができた。
【００１９】
【発明の効果】
本発明の種菌生育コンポストの製造方法およびその種菌生育コンポストを用いた有機肥料の製造方法は、以上説明したように構成されているので、工数がかからず、かつエネルギーコストが最小であって、伐採廃材のセルローズ障害やリグニン障害を解消しながら堆肥化することが可能とした種菌生育コンポストを得ることができ、さらにそれを用いることにより、有機態窒素を豊富に含む高品質の醗酵肥料を得ることができるという優れた効果がある。よって本発明は、従来の問題点を解消した種菌生育コンポストの製造方法およびその種菌生育コンポストを用いた有機肥料の製造方法として、実用的価値はきわめて大なるものがある。
【図面の簡単な説明】
【図１】本発明における堆積状態を示す要部斜視図。
【図２】本発明における堆積状態を示す要部正面図。
【符号の説明】
１、堆積体、２  パイプ、２１  端部。
【図１】
0004054518.tif 000002
【図２】
0004054518.tif 000003